(57)【要約】【課題】印面部材の全面が平均して押圧される印液浸透式スタンプを部品点数少なく比較的簡単な構造で提供する。【解決手段】下方を開放し、印面部材４を装着した印版体ケース２にその中央にインク補充用筒体５とこのインク補充用筒体５を間において起立させた一対のガイド部材６，６を設けて構成した印版体１と、上下を開放し上下方向の中間に仕切り壁８を設け、この仕切り壁８に上記印版体１のインク補充用筒体５と一対のガイド部材６，６を貫通する貫通孔９，１０を形成して構成した外ケース７と、下方を開放して構成した上部キャップ１３とからなり、上記印版体１のインク補充用筒体５と一対のガイド部材６，６とを、外ケース７の仕切り壁８の貫通孔９，１０を下方から上向きに貫通させて印版体１を外ケース７内に上下動可能に嵌め込み、上記印版体１に外ケース７に対して上向きの拡圧弾力を付与し、上記上部キャップ１３を印版体１に着脱自在に連結してある。【選択図】　　　図１
2004017578.tif 000002
【特許請求の範囲】
【請求項１】
下方を開放し、印面部材を装着した印版体ケースにその中央にインク補充用筒体とこのインク補充用筒体を間において起立させた一対のガイド部材を設けて構成した印版体と、上下を開放し上下方向の中間に仕切り壁を設け、この仕切り壁に上記印版体のインク補充用筒体と一対のガイド部材を貫通する貫通孔を形成して構成した外ケースと、下方を開放して構成した上部キャップとからなり、上記印版体のインク補充用筒体と一対のガイド部材とを、外ケースの仕切り壁の貫通孔を下方から上向きに貫通させて印版体を外ケース内に上下動可能に嵌め込み、上記印版体に外ケースに対して上向きの拡圧弾力を付与し、上記上部キャップを印版体に着脱自在に連結してなる印液浸透式スタンプ。
【請求項２】
上記印版体内の印面部材上に印液含浸タンク部材を設けてある上記請求項１に記載の印液浸透式スタンプ。
【請求項３】
上記外ケースの中間外周に段部を設け、上記仕切り壁をこの段部と同一面上に位置付けてある上記請求項１又は２に記載の印液浸透式スタンプ。
【請求項４】
上記インク補充用筒体の外側に巻きバネを装備し、インク補充用筒体の上端に巻きバネストッパーを設け、この巻きバネの拡圧弾力により印版体に外ケースに対する上向きの拡圧弾力を付与してある上記請求項１乃至３の何れかに記載の印液浸透式スタンプ。
【請求項５】
上記印版体のガイド部材と上部キャップとに相互に係脱可能とした連結機構を設け、この連結機構により上部キャップと印版体とを着脱自在に連結してなる上記請求項１乃至４の何れかに記載の印液浸透式スタンプ。
【請求項６】
上記インク補充用筒体の上端に着脱可能のインク補充用筒体キャップを設けてある上記請求項１乃至５の何れかに記載の印液浸透式スタンプ。
【請求項７】
上記外ケースの下部に印版体キャップを着脱自在に設けてある上記請求項１乃至６の何れかに記載の印液浸透式スタンプ。
【発明の詳細な説明】
【０００１】
【発明の属する技術分野】
本発明は、スタンプ台を不要とし、鮮明な印影を押捺できる印液浸透式スタンプに関する。
【０００２】
【従来の技術】
印面部材を印液の浸透可能なポリオレフィン系樹脂の連続気孔体からつくり、この印面部材を印版体ケースの下端に装着し、印版体ケース内に印液を充填しておき、印液を印面部材に徐々ににじみ出るようにした印液浸透式スタンプは例えば特許３０１６２１６号等により公知である。
【０００３】
【発明が解決しようとする課題】
従来公知の印液浸透式スタンプは、印面部材、タンク部材を下端に組み込んだ印版体ケースによって印版体を構成し、この印版体を外ケース内に上下動可能に収容し、印版体上に被せた上部キャップを押下することによって印面部材を紙面上に押圧スタンプするようにしてある。そこで、これらスタンプの場合、印面部材の全面が略均一な押圧力で紙面上に押圧されないと、スタンプされた印影に強弱が生じ好ましくない。そこで、従前公知の印液浸透式スタンプでは、印面部材の全面が略均等な圧力で押圧されるようにするため、比較的複雑な構造となり、部品点数が多くなるという課題があった。
本発明は、上記課題に鑑み、印面部材の全面が平均して押圧される印液浸透式スタンプを部品点数少なく比較的簡単な構造で提供することを目的とするものである。
【０００４】
【課題を解決するための手段】
そのため、本発明印液浸透式スタンプは、下方を開放し、印面部材を装着した印版体ケースにその中央にインク補充用筒体とこのインク補充用筒体を間において起立させた一対のガイド部材を設けて構成した印版体と、上下を開放し上下方向の中間に仕切り壁を設け、この仕切り壁に上記印版体のインク補充用筒体と一対のガイド部材を貫通する貫通孔を形成して構成した外ケースと、下方を開放して構成した上部キャップとからなり、上記印版体のインク補充用筒体と一対のガイド部材とを、外ケースの仕切り壁の貫通孔を下方から上向きに貫通させて印版体を外ケース内に上下動可能に嵌め込み、上記印版体に外ケースに対して上向きの拡圧弾力を付与し、上記上部キャップを印版体に着脱自在に連結してなるものである。即ち、上記印版体のインク補充用筒体と一対のガイド部材とを、外ケースの仕切り壁の貫通孔を下方から上向きに貫通させて印版体を外ケース内に上下動可能に嵌め込む構造としたことにより、印版体の上下作動を傾きなくして印面部材の全面を平均して紙面上に押圧することができ、しかもこの構造にしたから部品点数を少なくすることができた。
【０００５】
また、上記印版体内の印面部材上に印液含浸タンク部材を設けてある。即ち、本発明スタンプはインク切れになる期間を長くし、きれいな押印を長く保つことができる。
さらに、上記外ケースの中間外周に段部を設け、上記仕切り壁をこの段部と同一面上に位置付けてある。即ち、外ケースの中間外周に段部を設けたから、外ケースと上部キャップの外形を揃えることができ、型を整えた型となし得る。
【０００６】
また、上記インク補充用筒体の外側に巻きバネを装備し、インク補充用筒体の上端に巻きバネストッパーを設け、この巻きバネの拡圧弾力により印版体に外ケースに対する上向きの拡圧弾力を付与してある。即ち、この構成により簡単な構造で印版体の外ケースに対する上向きの拡圧弾力を付与できる。
さらに、上記印版体のガイド部材と上部キャップとに相互に係脱可能とした連結機構を設け、この連結機構により上部キャップと印版体とを着脱自在に連結してなるものである。即ち、この構成により本発明印液浸透式スタンプの組立て、分解を容易とすることができる。
【０００７】
また、上記インク補充用筒体の上端に着脱可能のインク補充用筒体キャップを設けてある。即ちインク補充用筒体キャップを閉じておくことにより、インクの乾燥を阻止し、該キャップを開けてインクの補充をすることができる。
さらに、上記外ケースの下部に印版体キャップを着脱自在に設けてある。即ち、これにより不使用時における印版体の露呈を阻止し、露呈した印版体による周りの汚れを防止することができる。
【０００８】
【発明の実施の形態】
以下図面に示した実施例により本発明の詳細を説明する。図示した実施例では方形状のものを示したが、円形状、楕円形状、多角形状のものであってもよい。図中１が印版体で、下方を開放した印版体ケース２中に、印液含浸タンク部材３と印面部材４とを装着してある。上記印版体ケース２上には、その中央に印液含浸タンク部材３に通ずるインク補充用筒体５と、このインク補充用筒体５を間において一対のガイド部材６，６とを起立させて一体に設けてある。インク補充用筒体５の上端には後述する巻きバネストッパーを着脱可能に係合保持するための係合凹リング１７を形成してある。同じくガイド部材６，６の上端にも後述する上部キャップとの連結機構を構成するための係合凸部１６を設けてある。
【０００９】
図中７が外ケースで、上下を開放してあり、上下方向の中間に仕切り壁８を設けて、この仕切り壁８に上記印版体１のインク補充用筒体５とガイド部材６を下方から上方へ貫通する貫通孔９，１０を形成してある。この外ケース７は、その高さ方向中間位置即ち仕切り壁８と同一高さ位置に段部１１を設けてあり、後述するように印版体１を、そのインク補充用筒体５を該貫通孔９に下方から上向きに貫通させ、ガイド部材６，６を貫通孔１０，１０に同じく下方から上向きに貫通させて外ケース７内に上下動可能に嵌め込み、該仕切り壁８が印版体１の上限位置を決める構成としてある。また、この外ケース７の上半分の内側には、上部ガイド部材６，６の上下部を円滑に案内するガイドリブ１２を設けてある。
【００１０】
図中１３が上部キャップで、下方を開放して構成してあり、内部に内壁１４を設け、その内側に上記印版体１のガイド部材６に設けた係合凸部１６と係脱自在に係合して連結機構を構成する係合凹部１５を形成してある。この係合凹部１５と係合凸部１６とにより連結機構を構成するが、この凹凸を逆にしてもよい。
【００１１】
また、図中１８が上記インク補充用筒体５の上端に着脱可能にした巻きバネストッパーで、合成樹脂材によりリング状に構成してあり、その内側にインク補充用筒体５の上端に形成した係合凹リング１７を係脱可能とした係合凸部１９を設けてある。この係合凹部と係合凸部とを逆に構成してもよい。図示した実施例では上記巻きバネストッパー１８と一体にインク補充用筒体キャップ２０を設けてある。
【００１２】
さらに、図中２１が巻きバネで、インク補充用筒体５の外側に装備する。即ち、この巻きバネ２１の下端が外ケース７の仕切り壁８に当接し、上端が巻きバネストッパー１８に係止して、その拡圧弾力により印版体１を外ケース７に対して上向きに蓄勢するようにしてある。図中２２が印版体キャップで、外ケース７に対して着脱可能にしてある。
【００１３】
上記の通りの構成からなる本発明印液浸透式スタンプは、次の通りの工程により組み立てられる。即ち、印版体１はタンク部材３と印面部材４とが印版体ケース２内に予め組み込まれている。この予め組み込まれている印版体１を外ケース７の下方からインク補充用筒体５を仕切り壁８の貫通孔９に貫通し、同時にガイド部材６，６を貫通孔１０，１０に貫通させて上下動可能に嵌め込む。そこで、巻きバネ２１をインク補充用筒体５の上方から外側に装備する。その後、インク補充用筒体５の上端に巻きバネストッパー１８を嵌め込み、巻きバネストッパー１８の係合凸部１９を係合凹リング１７に係合させて巻きバネストッパー１８を固定する。この状態で巻きバネ２１は縮められて拡圧弾力を発揮し、印版体１を外ケース７に対して上向きに弾圧する。
この状態で印版体１の上部に上部キャップ１３を被せて連結機構を構成する係合凹部１５と係合凸部１６とを係合連結すればよい。
【００１４】
このように組み立てられた本発明印液浸透式スタンプをスタンプする場合、外ケース７を紙面上に置いて上部キャップ１３を押下すると印版体１が外ケース７内で下降し、印面部材４が紙面上に接触スタンプする。この際印版体１のガイド部材６，６が外ケース７の貫通孔９，９を貫通して上下作動するから、印版体１の押下作動に際して片寄りを生ずることなく、印面部材４の全面が平均して紙面上に接触することになる。
【００１５】
【発明の効果】
本発明印液浸透式スタンプは、下方を開放し、印面部材を装着した印版体ケースにその中央にインク補充用筒体とこのインク補充用筒体を間において起立させた一対のガイド部材を設けて構成した印版体と、上下を開放し上下方向の中間に仕切り壁を設け、この仕切り壁に上記印版体のインク補充用筒体と一対のガイド部材を貫通する貫通孔を形成して構成した外ケースと、下方を開放して構成した上部キャップとからなり、上記印版体のインク補充用筒体と一対のガイド部材とを、外ケースの仕切り壁の貫通孔を下方から上向きに貫通させて印版体を外ケース内に上下動可能に嵌め込み、上記印版体に外ケースに対して上向きの拡圧弾力を付与し、上記上部キャップを印版体に着脱自在に連結してなるものであるから、即ち、上記印版体のインク補充用筒体と一対のガイド部材とを、外ケースの仕切り壁の貫通孔を下方から上向きに貫通させて印版体を外ケース内に上下動可能に嵌め込む構造としたから、印版体の上下作動を傾きなくして印面部材の全面を平均して紙面上に押圧することができ、常に美しいスタンプ印影を得ることができる効果を有し、しかもこの構造にしたから部品点数を少なくすることができ、組立て分解を容易とした利点を有する。
【００１６】
また、上記印版体内の印面部材上に印液含浸タンク部材を設けてあるから、インク切れになる期間を長くし、きれいな押印を長く保つことができる。
さらに、上記外ケースの中間外周に段部を設け、上記仕切り壁をこの段部と同一面上に位置付けてあるから、外ケースと上部キャップの外形を揃えることができ、型を整えたスタンプとなし得る。
【００１７】
また、上記インク補充用筒体の外側に巻きバネを装備し、インク補充用筒体の上端に巻きバネストッパーを設け、この巻きバネの拡圧弾力により印版体に外ケースに対する上向きの拡圧弾力を付与してあるから、簡単な構造で印版体の外ケースに対する上向きの拡圧弾力を付与できる。
さらに、上記印版体のガイド部材と上部キャップとに相互に係脱可能とした連結機構を設け、この連結機構により上部キャップと印版体とを着脱自在に連結してなるものであるから、印液浸透式スタンプの組立て、分解を容易とすることができる。
【００１８】
また、上記インク補充用筒体の上端に着脱可能のインク補充用筒体キャップを設けてあるから、インク補充用筒体キャップを閉じておくことにより、インキの乾燥を阻止し、該キャップを開けてインクの補充をすることができる。
さらに、上記外ケースの下部に印版体キャップを着脱自在に設けてあるから、不使用時における印版体の露呈を阻止し、露呈した印版体による周りの汚れを防止することができる。
【図面の簡単な説明】
【図１】本発明印液浸透式スタンプの正面断面図である。
【図２】同じく側面断面図である。
【図３】印版体キャップを外した状態の正面断面図である。
【図４】図３上Ａ−Ａ線に沿う断面平面図である。
【図５】本発明印液浸透式スタンプの分解斜視図である。
【符号の説明】
１　印版体
２　印版体ケース
３　印液含浸タンク部材
４　印面部材
５　インク補充用筒体
６　ガイド部材
７　外ケース
８　仕切り壁
９，１０　貫通孔
１１　段部
１２　ガイドリング
１３　上部キャップ
１４　内壁
１５　係合凹部
１６　係合凸部
１７　係合凹リング
１８　巻きバネストッパー
１９　係合凸部
２０　インク補充用筒体キャップ
２１　巻きバネ
２２　印版体キャップ
【図１】
2004017578.tif 000003
【図２】
2004017578.tif 000004
【図３】
2004017578.tif 000005
【図４】
2004017578.tif 000006
【図５】
2004017578.tif 000007